(57)【特許請求の範囲】
【請求項１】
内容物を取り出す開口部を有する包装体に、前記開口部を覆う蓋材が取付けられている包装体の開封構造において、
前記蓋材は前記開口部全てを覆う広さを有し、且つ少なくとも包装体の開口部周辺に対して繰り返し剥離可能に接着されており、
前記蓋材は可撓性のフィルムまたはシートで形成され、前記蓋材の端部に、両端部を有する線状の切り込みで形成された指掛け部が設けられており、前記切り込みの両端部に、蓋材が裂けるのを防止する円形のくり貫きが形成されていることを特徴とする包装体の開封構造。
【請求項２】
前記指掛け部が設けられている蓋材の端部は、包装体に接着されていない請求項１記載の包装体の開封構造。
【請求項３】
前記指掛け部が曲線状の切り込みである請求項１または２記載の包装体の開封構造。
【請求項４】
包装体がフィルムからなる請求項１ないし３のいずれかに記載の包装体の開封構造。
【請求項５】
包装体に指を掛ける部分が形成されている請求項４記載の包装体の開封構造。
【請求項６】
包装体に形成された指を掛ける部分は、前記蓋材の前記指掛け部が開封時に引っ張られる方向とは逆の方向に引っ張ることができる位置に形成されている請求項５記載の包装体の開封構造。
【請求項７】
包装体に形成された指を掛ける部分は、包装体の端部のフィルムの接合部分に形成されている請求項５または６記載の包装体の開封構造。
【請求項８】
包装体に形成された指を掛ける部分は、両端部を有する線状の切り込みで形成され、前記切り込みの両端部に、蓋材が裂けるのを防止する円形のくり貫きが形成されている請求項７記載の包装体の開封構造。
【発明の詳細な説明】
【０００１】
【発明の属する技術分野】
本発明は、ウエットティッシュなどの各種内容物が収納された包装体に係る。特に、前記包装体の開口部を開閉する蓋材が接着剤を介して繰り返し剥離可能に接着されている包装体の開封構造に関する。
【０００２】
【従来の技術】
図４は不織布やティッシュペーパーなどに薬剤などを含浸させたウエットティッシュを収納する従来の包装体を示す斜視図であり、蓋材が引き上げられて開封された状態を示している。
【０００３】
包装体１を構成している包材は、例えば表面側から順にＰＥＴ（ポリエチレンテレフタレート）フィルム層、アルミニウム箔層、シーラント層が積層されたラミネートフィルム（積層フィルム）である。ラミネートフィルムを縦方向に接合して筒状にし、さらに両端部１ａ、１ｂが横方向に接合されて軟質な密封された包装体１が形成されている。この包装体１の内部にはウエットティッシュ３が重ねられて収納されている。
【０００４】
包装体１の上面には、楕円形状の開口部４が形成されている。この開口部４を覆う蓋材２は感圧接着剤などの粘着層をもち、前記開口部４の周辺部に粘着層を介して剥離可能に接合されている。この蓋材２は、例えば２軸延伸されたポリプロピレンなどのフィルムで形成されている。さらに、包装体に接する面である蓋材２の裏面のほぼ全体に感圧接着剤などの粘着層が形成されている。
【０００５】
蓋材２の端部２ａには包装体１の表面に接着されていない摘み部８が形成されている。この摘み部８を摘まんで蓋材２を包装体１の表面から引き剥がし、蓋材２の基端部２ｃが包装体１から離れない程度にまで蓋材２を引き上げて、開口部４からウエットティッシュ３を取り出す。
【０００６】
【発明が解決しようとする課題】
しかし、図４に示す包装体の開封構造では以下に示す問題がある。
蓋材２は繰り返し剥離可能に接着されているが、その接着は収納されているウェットティッシュの水分を外に逃がさないため、比較的強く接着されている。このため蓋材２の摘み部８を摘まんで蓋材２を引き剥がして開封する行為は、ある程度の力を必要とする。したがって、指の力の弱い老人や子供にとってこの開封行為は大変な労力が必要とされる。
【０００７】
また図４に示した構造の包装体においては、蓋材２を持ち上げて開封するのに何本かの指を使って摘み部８を摘まみ、且つもう一方の手で包装体１をつかんでいなければならない。従って、手や指が汚れている時などは、開封時に包装体を汚してしまうことがある。また、先端部２ａを摘まんでも、指が滑って開封が難しくなる場合がある。
本発明は上記従来の課題を解決するものであり、開封時に包装体から蓋材を引き剥がしやすくした包装体の開封構造を提供することを目的としている。
【０００８】
【課題を解決するための手段】
本発明は、内容物を取り出す開口部を有する包装体に、前記開口部を覆う蓋材が取付けられている包装体の開封構造において、
前記蓋材は前記開口部全てを覆う広さを有し、且つ少なくとも包装体の開口部周辺に対して繰り返し剥離可能に接着されており、
前記蓋材は可撓性のフィルムまたはシートで形成され、前記蓋材の端部に、両端部を有する線状の切り込みで形成された指掛け部が設けられており、前記切り込みの両端部に、蓋材が裂けるのを防止する円形のくり貫きが形成されていることを特徴とするものである。
【０００９】
本発明の包装体は蓋材に指を掛ける部分が形成されている。したがって、その指を掛ける部分に指を引っかけて蓋材を引き剥がすことにより、容易に開封することができる。また、複数の指を用いて蓋材を摘ままなくても、一本の指で蓋材を引き剥がすことができる。
【００１０】
本発明の包装体の指を掛ける部分が設けられている蓋材の端部は、包装体に接着されていないと開封時に指を掛けやすくなるので好ましい。ただし、前記端部が接合されていてもよい。
【００１１】
本発明の包装体がフィルムで形成される場合、包装体にも指を掛ける部分を形成することが好ましい。この場合、包装体に形成された指を掛ける部分は、前記蓋材の指を掛ける部分が開封時に引っ張られる方向とは逆の方向に引っ張ることができる位置に形成されていると、さらに容易に開封できるようになるので好ましい。また、包装体に形成された指を掛ける部分は、包装体の端部のフィルムの接合部分に形成することができる。
【００１２】
【発明の実施の形態】
図１は、包装体の基本構造を示す参考例の斜視図であり、（Ａ）は蓋材が開口部を覆っている状態、（Ｂ）は蓋材が剥がされて開口部が現れた状態を示す。
ここで、包装体１１を上から見た時に、長辺方向を縦方向とし、短辺方向を横方向とする。
包装体１１は、表面（外側）からポリエチレンテレフタレート（ＰＥＴ）フィルム、アルミニウム箔、いわゆるシーラントと呼ばれるヒートシール性の２軸延伸ポリプロピレン（ＣＰＰ）フィルムなどが順に積層されて、互いに接着された積層フィルムから形成されている。または、ＰＥＴフィルムにアルミニウム、シリカまたはアルミナが蒸着されたものに、ヒートシール性のフィルムが重ねられているものでもよい。
【００１３】
前記ヒートシール性のフィルムが包装体１１の内側になる方向に向けられて、積層フィルムにより内容物となるウエットティッシュ１３が包まれる。そして、積層フィルムは縦方向に接合され、且つ横方向にも接合されて包装体１１が形成される。端部において横方向に接合される部分を接合部１１ａ、１１ｂで表わす。端部の接合部１１ａ、１１ｂでは、積層フィルムの内面のヒートシール性フィルムどうしが合わせられた状態で、押圧され且つ加熱されて熱溶着されて接合されている。
【００１４】
前記積層フィルムにおいて、アルミニウム箔は水や酸素を透過せず、気密性に優れているので、包装体１１の中に化粧料または薬剤が含浸されたウエットティッシュ１３などが入れられたときに、これらの乾燥を防ぐことができる。また、アルミニウム箔の表面には商品のマークや取扱い説明の文字などが印刷されている。ＰＥＴフィルムはこのアルミニウム箔表面の印刷を保護するために、アルミニウム箔表面に積層されている。
【００１５】
図１（Ｂ）に示されているように、包装体１１の表面には、包装体１１の中に入れられているウエットティッシュ１３を取り出すための開口部１４が形成されている。そして、この開口部１４を完全に覆うように、蓋材１２が開口部１４の周辺において、包装体１１に感圧接着剤などの粘着層を介して接合されている。
【００１６】
包装体１１を構成する包材（積層フィルム）には、予め開口部１４の輪郭を形成するミシン目状の切り込み線が形成されている。包装体１１が形成された後に、蓋材１２が、包装体１１の表面に対し前記粘着層を介して接着される。使用時には、図１（Ｂ）に示すように、蓋材１２を剥がすと、前記切り込み線で囲まれた部分の包材が、蓋材１２の裏面に接着されたまま蓋材１２とともに剥がされる。このとき前記切り込み線で囲まれた部分は包装体から分離され、分離された包材は蓋材１２の裏面に接着されたままとなる。このとき、包装体１１に開口部１４が開口する。
【００１７】
この蓋材１２の端部１２Ａには、指を掛ける部分１５が形成されている。この指を掛ける部分１５は、指を引っ掛けることができる大きさ、例えば縦と横の長さが１．５ｃｍ以上であることが好ましい。
【００１８】
この蓋材１２には、包装体の開口部１４の周辺に対して剥離可能に接着されるために、粘着層が設けられる。この場合、蓋材の全面に接着層を設けないことが好ましい。詳細を述べると、蓋材１２の指を掛ける部分１５が形成されている部端部１２Ａ以外の部分、すなわち開口部を覆う部分１２Ｂと基端部１２Ｃにのみ粘着層が形成されていることが好ましい。指を掛ける部分１５の周囲も包装体に接合されていると、開封時に指を掛けるために蓋材１２の端部１２Ａを剥がしてから指を掛けなくてはならないので、開封に手間がかかる。
また、蓋材１２の基端部１２Ｃは、開口部１４が形成されていない領域において、包装体１１の表面に粘着層を介して接着されている。
【００１９】
蓋材１２は可撓性のフィルムやシートで形成される。例えば２軸延伸されたポリプロピレン樹脂の単層構造または前記ポリプロピレン樹脂に表層が積層された多層構造の第一のシートと第二のシートとが重ねられた構造をもつフィルム等が使用される。第一のシートとして、好ましくは表面がミクロボイド構造であり、表面に印刷層を形成しやすいものが使用される。第二のシートはポリプロピレン樹脂フィルムなどである。第二のシートは色付きのものであってもよいが、透明な樹脂フィルムを使用すると、第一のシートの表面に形成された印刷層を保護するカバーシートとして機能できる。
【００２０】
粘着層を形成する感圧接着剤は、例えばアクリル系の糊剤、可塑剤を含んだポリ塩化ビニル組成物、エチレン−酢酸ビニル共重合体に塩化ビニルモノマーがグラフト重合されたグラフト共重合体などのグラフトマーを主体としたものである。
【００２１】
この包装体１１は携帯可能であり、通常は図１（Ａ）に示すように、粘着層を介して蓋材１２が包装体１１の表面に接着され、開口部１４が閉鎖されている。
開封時には、図１（Ｂ）に示すように、蓋材１２の先端部１２Ａにある指を掛ける部分１５に指を引っ掛けて包装体１１の表面から引き上げる。すると、蓋材１２が包装体１１の表面から剥がされて開口部１４が露出する。このとき、この指を掛ける部分に指を引っ掛けて引っ張れば開封できるので、指に力が入りやすく、容易に開封できる。したがって、指の力が弱い老人や子供でも簡単に開封できる。
【００２２】
図２は、包装体の基本構造を示すさらに他の参考例の包装体１１の斜視図である。
包装体１１では、指を掛ける部分を蓋材１２だけに設けるのではなく、包装体１１の端部のフィルムの接合部１１ａにも指を掛ける部分１６を形成させることができる。前記蓋材１２の指を掛ける部分１５が開封時に引っ張られる方向を矢印２０で示す。包装体１１側の指を掛ける部分１６はこの矢印２０とは逆の矢印２１の方向に引っ張ることができる位置に形成されている。開封時においては、片方の手の指を蓋材１２の指を掛ける部分１５に引っ掛けて矢印２０の方向に引っ張る。また、もう片方の手の指を接合部１１ａに形成された指を掛ける部分１６に引っ掛けて矢印２１の方向に引っ張る。従って、手や指が汚れている場合、それぞれの手の指一本ずつで開封できるため、包装体が汚れてしまうことがない。
【００２３】
また、蓋材１２の基端部１２Ｃには、図２に示すように切り込み部１７を形成することができる。この切り込み部１７を形成すると、蓋材１２を端部１２Ａから引き剥がしてゆき、基端部１２Ｃまで剥がしたときに、手に与えられる抵抗力が強くなる。すなわち、蓋材１２を基端部１２Ｃまで剥がした時点で引き剥がし動作を止めやすくなる。したがって、蓋材１２全体が包装体１１から剥がれるのを防止できる。
【００２４】
図３（Ａ）（Ｂ）はそれぞれ、本発明の包装体の実施の形態を示すものであり、蓋材の指を掛ける部分を示した図である。
蓋材１２の指を掛ける部分１５は、図３（Ａ）及び図３（Ｂ）に示すように、曲線状の切り込みで形成されている。切り込みによって指を掛ける部分１５を形成すると、前記参考例に示すような、くり貫いた指を掛ける部分をもつ包装体の製造時のようにくり貫いた部分のごみが出ない利点がある。また指を掛ける部分１５が曲線状の切り込みであり、曲線状の切り込みの両端部１５ａは円形状にくり貫かれている。線状の切れ目を入れただけだと、指を掛ける部分１５に指を引っ掛けて蓋材１２を引っ張った時に、その切り込みの端から蓋材１２が裂けてしまうことがある。
【００２５】
また、図２に示すような包装体１１側に指を掛ける部分１６を形成する場合、この指を掛ける部分１６も図３（Ａ）（Ｂ）に示すような構造にすることができる。
【００２６】
なお、本発明の包装体は、内容物がウエットティッシュ、ドライなティッシュ、化粧用パフなどどのようなものでもよい。また包装体はフィルムで内容物を包んだ軟質なものに限られず、やや硬質なまたは硬質な容器状のものであってもよい。
【００２７】
【発明の効果】
以上のように、本発明の包装体の蓋材には、指を掛ける部分が形成されているため、その指を掛ける部分に指を引っ掛けて蓋材を容易に引き剥がすことができる。従って、指に力が入りやすく、指の力の弱い老人や子供でも容易に開封することができる。
さらに、包装体にも指を掛ける部分が、蓋材に形成された指を掛ける部分が開封時に引っ張られる方向とは逆の方向に引っ張ることができる位置に形成されていると、両手の指一本づつで開封することができるため、手や指が汚れている時に開封しても、包装体が汚れてしまうことが少ない。
【図面の簡単な説明】
【図１】図１は、包装体の基本構造を示す参考例の斜視図であり、（Ａ）は蓋材が開口部を覆っている状態を示す図、（Ｂ）は蓋材が剥がされて開口部が現れた状態を示す図
【図２】包装体の基本構造を示すさらに他の参考例の示す包装体１１の斜視図
【図３】（Ａ）（Ｂ）はそれぞれ、本発明の包装体の実施の形態を示すものであり、蓋材の指を掛ける部分を示した図
【図４】従来の包装体を示す斜視図
【図１】
0003642949.tif 000002
【図２】
0003642949.tif 000003
【図４】
0003642949.tif 000004
【図３】
0003642949.tif 000005